(57)【特許請求の範囲】
【請求項１】
試験装置（２）とモバイル通信ユニット（３）の間に設置される一方向通信路（６、７）を有する該モバイル通信ユニット（３）の受信機性能を試験するためのシステムであって、
該一方向通信路（６、７）が、該モバイル通信ユニット（３）による直接に関係するデータ応答を必要としない情報を伝送するために設けられた通信路であり、かつ該試験装置（２）から該モバイル通信ユニット（３）へ該情報を伝送信号として送信するために与えられ、
該情報が、該モバイル通信ユニット（３）の受信機の性能を試験するための情報と該モバイル通信ユニット（３）の操作のためパラメーター設定するための情報とを含んだものであり、
該モバイル通信ユニット（３）によって受信伝送信号から解析される、有り得るエラー部分を除いては、試験装置（２）からの情報と同じ情報を含む情報から発生させられる返信伝送信号を送信するための独立通信路（１４）が該モバイル通信ユニット（３）と該試験装置（２）の間に与えられ、
該独立通信路（１４）が、該一方向通信路（６、７）を経由して受信される情報の返信のために、通常は確立されず又は使用されない通信路であり、
前記返信伝送信号が、該伝送信号から抽出された情報と該受信された前記伝送信号に含まれるパラメーター設定の少なくとも一部に基づく前記モバイル通信ユニット（３）の応答とを反映しているデータを含み、
そして該試験装置（２）が該一方向通信路（６、７）を通じて送信される情報と返信伝送のための独立通信路（１４）を通じて受信される情報とを比較するための比較ユニット（１６）を含むことを特徴とするシステム。
【請求項２】
前記モバイル通信ユニット（３）が、既存の独立通信路（１４）を経由して前記伝送信号から解析される情報を返信伝送信号として返信するための折返し構成要素（９）を含むことを特徴とする、請求項１に記載のシステム。
【請求項３】
前記モバイル通信ユニット（３）が、独立通信路（１４）を確立し、前記伝送信号から解析される情報を返信伝送信号としてこの独立通信路（１４）を経由して返信するための折返し構成要素（９）を含むことを特徴とする、請求項１に記載のシステム。
【請求項４】
前記試験装置（２）が、前記一方向通信路（６、７）を通じて送信される情報の結果として生じる、前記モバイル通信ユニット（３）によって送信されるいかなる信号の特性をも測定する測定手段を含むことを特徴とする、請求項１から３のいずれかに記載のシステム。
【請求項５】
前記試験装置（２）が、エラーの統計的計算及び前記比較ユニット（１６）の出力の解析をするための解析ユニットを含むことを特徴とする、請求項４に記載のシステム。
【請求項６】
一方向通信路（６、７）を通じて情報を受信するための受信機（８）及び送信機（１３）を含むモバイル通信ユニットであって、
該一方向通信路（６、７）が、該モバイル通信ユニット（３）による直接に関係するデータ応答を必要としない情報を伝送するために設けられた通信路であり、
該情報が、該モバイル通信ユニット（３）の受信機の性能を試験するための情報と該モバイル通信ユニット（３）の操作のためパラメーター設定するための情報とを含んだものであり、
該モバイル通信ユニット（３）が、該受信機（８）を該送信機（１３）に連結し、該一方向の通信路（６、７）を通じて受信される伝送信号から解析される、有り得るエラー部分を除いては、該一方向の通信路（６、７）によって該受信機（８）に送信される情報と同じ情報を含む情報を独立通信路（１４）を通じて送信させるように該送信機（１３）を制御するための、折返し構成要素（９）を含み、
該独立通信路（１４）が、該一方向通信路（６、７）を経由して受信される情報の返信のために、通常は確立されず又は使用されない通信路であり、
該独立通信路（１４）を通じて送信される返信伝送信号が、該伝送信号から抽出された情報と該受信された前記伝送信号に含まれるパラメーター設定の少なくとも一部に基づく前記モバイル通信ユニット（３）の応答とを反映しているデータを含むことを特徴とするモバイル通信ユニット。
【請求項７】
前記モバイル通信ユニット（３）によって確立された既存の独立通信路（１４）が、前記一方向通信路（６、７）を通じて受信される伝送信号から解析される情報を返信伝送するために、前記折返し構成要素（９）によって選択可能であることを特徴とする、請求項６に記載のモバイル通信ユニット。
【請求項８】
前記折返し構成要素（９）が独立通信路（１４）を確立することができることを特徴とする、請求項６に記載のモバイル通信ユニット。
【請求項９】
情報（２０）及び該情報を含む伝送信号（２１）を試験装置（２）によって発生させる工程であって、該情報は、モバイル通信ユニット（３）の受信機の性能を試験するための情報と該モバイル通信ユニット（３）の操作のためパラメーター設定するための情報とを含んだ情報である工程、
該伝送信号（２１）を供試のモバイル通信ユニット（３）に一方向の通信路（６、７）を経由して送信する工程であって、該一方向通信路（６、７）が、該モバイル通信ユニット（３）による直接に関係するデータ応答を必要としない情報を伝送するために設けられた通信路である工程、
該伝送信号（２１）を受信しそして解析し（２２）、該伝送信号に含まれている情報を得る工程、
該供試のモバイル通信ユニット（３）によって、該伝送信号から解析される、有り得るエラー部分を除いては、前記情報（２０）と同じ情報を含む情報を返信伝送信号として独立通信路（１４）を経由して返信する（２７）工程であって、該返信伝送信号は、該伝送信号から抽出された情報と該受信された前記伝送信号に含まれるパラメーター設定の少なくとも一部に基づく前記モバイル通信ユニット（３）の応答とを反映しているデータを含み、該独立通信路（１４）が、該一方向通信路（６、７）を経由して受信される情報の返信のために、通常は確立されず又は使用されない通信路である工程、及び
該試験装置（２）によって該返信伝送信号を受信しそして解析し（２８）、該返信伝送信号に含まれる情報を得そして該返信伝送信号から解析される情報と発生させた情報とを比較する（２９）工程を含む、該モバイル通信ユニット（３）の受信機性能を試験する方法。
【請求項１０】
前記独立通信路（１４）が、前記モバイル通信ユニット（３）から試験装置（２）への返信伝送信号の返信伝送のための２以上の独立通信路がある場合に選択される（２５）ことを特徴とする、請求項９に記載の方法。
【請求項１１】
前記返信伝送信号を前記モバイル通信ユニット（３）から前記試験装置（２）へ送信するために、前記独立通信路（１４）が確立される(２６)ことを特徴とする、請求項９に記載の方法。
【請求項１２】
前記伝送信号を解析した前記モバイル通信ユニット（３）の反応が、前記試験装置（２）によって検出され、そして期待値と比較されることを特徴とする、請求項９から１１のいずれかに記載の方法。
【発明の詳細な説明】
【技術分野】
【０００１】
本発明は、受信機性能を試験するためのシステム及び方法並びにそのそれぞれについてのモバイル通信ユニットに関する。
【背景技術】
【０００２】
モバイル通信ユニットの受信機の性能を試験する場合、しばしば情報を供試のモバイル通信ユニットに送信し、そして各々のモバイル通信ユニットの反応を解析することが必要である。前記通信ユニットに送信される情報には、例えば「出力アップ」又は「出力ダウン」の情報が含まれる。モバイル通信ユニットによって受信される信号に由来するこの情報のために、該モバイル通信ユニットと基地局とを連絡するためのパラメーター設定がなされる。
【０００３】
基地局によって与えられる情報は、該基地局からモバイル通信ユニットへのダウンリンク中で送信される伝送信号中に含まれる。情報伝達自体を達成するために、前記モバイル通信ユニットによって受信される伝送信号が解析され、そして受信伝送信号から解析された情報を基礎にして該モバイル通信ユニットによって新たなパラメーター設定がなされる。
【０００４】
このようなモバイル通信ユニットが試験される場合、例えば試験装置が基地局のシミュレーションとして使用される。放送情報であろうとマルチキャスト情報であろうとパラメーターの設定に関する情報は、前記試験装置から前記モバイル通信ユニットに一方向通信路を経由して送信される。このような一方向通信路は、モバイル通信ユニットによる直接に関係するデータ応答を必要としないあらゆる情報に対して確立される。それゆえこのような情報に関しての受信機性能を解析するために、前記モバイル通信ユニットの反応が、該モバイル通信ユニットから該試験装置へと送信される非関連信号の特定のパラメーターを該試験装置で検出することによって解析される。このような「非関連」信号は、前記一方向通信路を経由して受信した受信伝送信号から解析される情報を含まないが、その中にモバイル通信ユニットによって検出された情報が、該モバイル通信ユニットから該試験装置へと送信される信号のいずれかのパラメーター又は内容として反映される。例えば、試験装置によって最初に発生させられる情報がモバイル通信ユニットの出力設定に関する場合、モバイル通信装置によってそれ以降送信されるいかなる信号も該試験装置によって通信ユニットにより送信される信号の出力レベルを測定することで解析される。
【０００５】
このように、このような一方向通信路の受信機性能をエラー発生率の点で解析することは、統計的方法を使用してのみ可能であり、これは、大量の伝送信号がモバイル通信ユニットへ送信されなくてはならず、従って該通信ユニットによって送信される大量の信号がその後試験装置によって測定されそして解析されなければならないことを意味する。
【０００６】
このような試験アルゴリズムは、例えば非特許文献１に説明される。このような一方向通信路の他の例は、試験装置からモバイル通信ユニットへ「ＡＣＫ」ビット及び「ＮＡＣＫ」ビットが送信される通信路である。モバイル通信ユニットの反応は、ＮＡＣＫ信号を受信した場合に、既に送信されたデータの再送信を開始することである。このモバイル通信ユニットの反応の試験の１つの問題点は、競争過程が該モバイル通信ユニットの反応の解析を撹乱し得るということである。例えば、データ・パケットの再送信が成功しなかった場合、たとえ最大回数の再送信が達成されても、これは、「ＮＡＣＫ」が試験装置から受信されたとはいえモバイル通信ユニットによっては１つの新たなデータ・パケットしか送信されないという結果になる。
【０００７】
モバイル通信ユニットの反応が不明りょうである場合、受信機性能を解析するのはさらに困難である。例えばこれは、待ち受けセルと非待ち受けセルが両方とも一方向通信路を経由してモバイル通信ユニットに連絡されてブロック当りの許容データ容量に関する情報を送信する場合である。この２つの基地局の両方による異なる可能性の「アップ」、「保留」、及び「ダウン」の情報の組み合わせによって、合計６つの異なる可能性がもたらされる。これら６つの可能性のそれぞれは、モバイル通信ユニットの明確に規定された反応と結びついている。しかし、モバイル通信ユニットは、より多くのデータを送信するかデータ送信を減少させられたデータ量に限定するかのみによって反応する。従って、試験装置は、２つの反応を観測することしか可能でない。そのような訳で、この受信機性能試験は本質的に不明瞭である。
【先行技術文献】
【非特許文献】
【０００８】
【非特許文献１】技術仕様書３ＧＰＰ  ＴＳ３４．１２１
【発明の概要】
【発明が解決しようとする課題】
【０００９】
従って本発明の目的は、一方向通信路のための受信機性能を直接解析することを可能にする、試験システム、モバイル通信ユニット、及びモバイル通信ユニットの受信機性能の試験方法を提供することである。
【課題を解決するための手段】
【００１０】
本課題は、請求項１に記載のシステム、請求項６に記載のモバイル通信ユニット、及び請求項９に記載の受信機性能の試験方法によって解決される。
【００１１】
本発明によれば、モバイル通信ユニットへ通信連絡する少なくとも１つの基地局をシミュレートした試験装置が、モバイル通信ユニットへ送信する情報を発生させる。前記モバイル通信ユニットは、前記試験装置に一方向通信路を経由して連絡される。前記試験装置は、発生させられた情報を含む伝送信号を発生させる。前記伝送信号は、前記一方向通信路を経由して送信され、前記モバイル通信ユニットによって受信される。
【００１２】
前記受信伝送信号は、前記モバイル通信ユニットによって解析され、該受信伝送信号の解析の結果生じた情報は、返信伝送信号の基礎となる。それゆえに、前記受信伝送信号は復調され、前記モバイル通信ユニットによって解読され、そして前記試験装置に返信伝送される。返信伝送信号が、前記受信伝送信号から解析される情報を基礎にして、前記モバイル通信ユニットによって発生させられる。次に前記返信伝送信号は、前記モバイル通信ユニットによって、返信伝送のための独立通信路を通じて送信される。前記試験装置は、前記独立通信路を通じて前記返信伝送信号を受信し、そして最初の情報及び該返信伝送信号から解析した情報の両方を比較ユニットに供給する。
【００１３】
このような試験システムを実現するために、前記モバイル通信ユニットは、該モバイル通信ユニットの受信部を送信部に連結し、そして前記一方向通信路を通じて受信した情報を前記独立通信路を通じて送信するように該送信部を制御するための折返し構成要素を含む。
【００１４】
この新たな試験システム、エラー発生率の点での受信機性能の試験方法、及びこの新たなモバイル通信ユニットの有利点は、該受信機性能を、該モバイル通信ユニットの反応を解析する必要なしで、直接試験できることである。通常は前記モバイル通信ユニットの反応の基礎を形成したであろう前記受信伝送信号から解析される情報を、前記試験装置によって最初に発生させられた情報と直接に比較することが可能である。ひいてはこれは、競争過程のために費やされる試験時間を統計的評価から除外する必要が無いので、試験に要する時間の短縮をもたらす。試験の目標が、モバイル通信ユニットの反応の正確性の試験である場合、統計的有意性検定のための時間を費やす繰り返しは、もはや必要ではない。
【００１５】
本発明の有利な実施形態が、従属請求項に記載される。
【００１６】
前記受信伝送信号から解析される情報の返信伝送のために既に存在する独立通信路を使用することが特に有利である。返信伝送のための独立通信路の使用は、決して前記一方向通信路に影響しない。更に、非常に高品質な独立通信路を使用して、前記モバイル通信ユニットから前記試験装置への情報の返信伝送の間に生じるいかなるエラーの発生も抑制することが可能である。
【００１７】
別の有利な実施形態においては、前記受信伝送信号から解析される情報を返信するために前記モバイル通信ユニットによって独立通信路が確立される。
【００１８】
更に、返信情報と最初に発生させた情報との比較に加えて、モバイル通信ユニットの反応をその上解析することが有利である。
【００１９】
特に、前記伝送信号から直接に解析し得る与えられた情報に従って、前記モバイル通信ユニットがシステマチックにエラーのある設定を行っている場合、このようなシステマチックエラーは、返信情報に関して及び返信情報と前記試験装置によって最初に発生させられた情報との比較に関して前記モバイル通信ユニットの反応を解析することによって検出できる。
【発明の効果】
【００２０】
本発明は、一方向通信路を通じた受信機（８）の性能を直接解析することを可能にする、モバイル通信ユニット受信機性能試験用のシステム、モバイル通信ユニット（３）及び方法を提供する。
【図面の簡単な説明】
【００２１】
本発明の好ましい実施形態が、図中に示され、そして次に詳細に説明される。
【図１】第１の実施形態による受信機性能を試験するためのシステムの概略全体図を示す。
【図２】第２の実施形態による受信機性能を試験するためのシステムの概略全体図を示す。
【図３】本発明によるモバイル通信ユニット試験するためのフローチャートを示す。
【発明を実施するための形態】
【００２２】  図１は、本発明によるシステム１を示す。前記システム１は、図示される実施形態では携帯電話機などのモバイル通信ユニット３である供試の装置を試験するための試験装置２を含む。前記試験ユニット１（ｔｅｓｔｉｎｇ  ｕｎｉｔ  １）と前記モバイル通信装置３との間の通信を確立するために、前記試験装置２は、モバイル通信ユニットと通常は通信する正規の基地局の少なくとも一部をシミュレートしたシステムシミュレータ４を含む。
【００２３】
図示される実施形態においては、前記システムシミュレータ４は、両方とも前記モバイル通信ユニット３に別個の一方向通信路６、７によって連絡される、待ち受けセル及び非待ち受けセルをシミュレートする競争ユニットを含む。一方向通信路６、７のそれぞれは、前記モバイル通信ユニット３に前記システムシミュレータ４の待ち受けセル及び非待ち受けセルによって与えられる情報を供給するために提供される。
【００２４】 試験装置２によって前記モバイル通信ユニット３に供給されるこのような情報は、例えば、通行通信路の利用可能能力に従ってデータ・パケットの長さを、対応する通行通信路を経由して輸送できるデータ量を増加又は減少させるために、適合させるというものである。
【００２５】  本発明によれば、前記システムシミュレータ４は、試験装置２から前記モバイル通信ユニット３へ送信される予定の各々の情報を発生させるための発生ユニット４０を含む。前記モバイル通信ユニット３のパラメーター設定に関する情報が発生させられるとき、前記システムシミュレータ４の発生ユニット４０によって発生させられる情報を含む伝送信号が発生させられる。前記伝送信号の発生は、例えば、一方の通信路での「ブロック当りのデータ容量」−ダウンステップ及び「ブロック当りデータ容量」−保留ステップを含む。
【００２６】
前記伝送信号は、次に一方向通信路６、７のどちらかによって送信され、そして供試のデジタル受信機８によって受信される。この供試のデジタル受信機８が、受信機性能を試験するための本発明のシステム１によって試験される、前記モバイル通信ユニット３のユニットである。前記受信機８が前記一方向通信路６又は７のどちらかによって伝送信号を受信するとき、該伝送信号が、前記システムシミュレータ４によって最初に発生させられた情報を得るために解析される。前記伝送信号の解析は、例えば、一方の通信路での「ブロック当りデータ容量」−ダウンステップ及び「ブロック当りデータ容量」−保留ステップを含む。前記伝送信号として前記一方向通信路６又は７を経由して送信された情報が得られるとき、前記伝送信号から解析される情報が、試験される前記受信機８に連結する折返し構成要素９に供給される。
【００２７】
本発明の折返し構成要素９は、前記システムシミュレータ４から送信された２つの伝送信号から得られる、異なる情報を有する２つのデータ・パケットを同時に処理するように適合されている。この伝送信号のそれぞれは、待ち受けセル及び非待ち受けセルの情報に相当し、そして前記一方向通信路６又は７のどちらかによって送信される。受信伝送信号を解析することで得られるこの２つのデータ・パケットに対する処置は、並行して行い、情報を区別可能に保ち、エラー発生率の解析が非常に詳細に実施できるようにする。前記受信伝送信号を解析することによって得られた情報は、次にモジュレータ１１に供給される。この情報は、次に、返信伝送信号を発生させるための基礎となる。従って、この情報は調節されなければならず、調節された後に返信伝送信号が前記モジュレータ１１によって連結線１２を経由して送信機１３に供給される。前記送信機１３は、前記返信伝送信号を独立通信路１４経由で返信する。前記独立通信路１４経由で送信される前記返信伝送信号は、前記試験装置２によって受信される。従って、前記試験装置２は、前記返信伝送信号を受信するための受信機５を含む。前記受信機５は、更に受信返信伝送信号を解析するように適合させられ、これによって前記返信伝送信号中に伝達された情報が得られる。図示される実施形態にあるアップリンクは、品質の観点から特に前記独立通信路１４で構成される。返信伝送信号の返信伝送によって、該返信伝送信号から得られる情報に何らのエラーも付加されないことが仮定されている。このように、前記受信機５中の返信伝送信号を解析することによって得られる情報は、前記伝送信号又は前記モバイル通信ユニット３の受信機８中の伝送信号から得られる情報と同一であることが仮定される。
【００２８】
従って受信機８の性能を反映するエラー発生率が、受信機５中の返信伝送信号から得られる情報とシステムシミュレータ４が最初に発生させた情報とを比較した後に、計算できる。ビット比較ユニット１６中で、発生させられた情報及び前記返信伝送信号の情報がお互いに比較される。
【００２９】
前記モバイル通信ユニット３の前記受信機８によって得られる情報を解析するために、独立通信路１４が該受信機８によって得られる情報の返信伝送のために使用される。この独立通信路１４が独立といわれるのは、これが、前記一方向通信路６、７を経由して受信されるいかなる情報の返信のためにも、通常は確立されず又は使用されないためである。前記一方向通信路６、７によって前記モバイル通信ユニット３へ移動させられた情報は、通常は該モバイル通信ユニット３の受信機８中で終結する。これは、例えばディスプレー情報などのためのパラメーター設定はなされるが、前記モバイル通信ユニット３から前記試験装置２への又は恒常的な使用の間の基地局への情報の返信伝送は何もないという結果になる。
【００３０】
このように、「独立通信路１４」は、一方向通信路６、７を経由して受信される情報を移動させるために使用される通信路又は前記折返し構成要素９によって特別に発生させられそして確立される通信路を意味する。
【００３１】
折返し構成要素９は、前記受信機８によって得られる情報の処理を終了させるか、情報の返信に加えて、更なる処理を必要とする取得情報の処理を又は該取得情報のいずれかのアプリケーションユニット１５への供給を更に実施することができる。このような更なる処理アプリケーションは、例えば、前記伝送信号の情報中に含まれる情報を表示するディスプレーであっても良い。
【００３２】
別の例が図２に示される。
図１とは逆に、図２の試験装置２のシステムシミュレータ４′（ｓｙｓｔｅｍ  ｓｉｍｕｌａｔｏｒ  ４′）は、モバイル通信装置３へと移動する情報は１つのみ発生させるように適合される。前記試験装置２から前記モバイル通信ユニット３に送信されるような情報は、例えば、「出力アップ」もしくは「出力ダウン」ビット又は「ＡＣＫ」もしくは「ＮＡＣＫ」ビットである。図１に関して示されたのと同様にして、前記システムシミュレータ４′（ｓｙｓｔｅｍ  ｓｉｍｕｌａｔｏｒ  ４′）によって発生させられる情報は、関連のあるプロトコルの要求に従って発生させられ、従って送信される情報を含むデータ・パケットを有するビットストリームが、単一発生機によって発生させられる。前記モバイル通信ユニット３へ移動させられる情報を有するこのビットストリームが、次に前記試験装置２内で処理され、伝送信号が発生させられ、そして最終的に送信される。前記伝送信号は、既に説明したように、前記一方向通信路６を経由して送信され、そして受信機８によって受信される。
【００３３】
前記システムシミュレータ４′（ｓｙｓｔｅｍ  ｓｉｍｕｌａｔｏｒ  ４′）の信号発生機によって発生させられた情報が、例えば、放送情報である場合は、受信機８中の受信伝送信号を解析することによって得られる情報は、例えば、各アプリケーション１５′（ａｐｐｌｉｃａｔｉｏｎ  １５′）に送られても良い。前記放送情報が、例えば、特定のコードのエリアに電話をかけるときのタリフレートに関するセル情報である場合には、この情報はディスプレー装置によって表示できる。情報の表示には、自動試験はアクセス可能ではない。それゆえ、本発明によれば、受信機８中の受信伝送信号から得られる情報が、折返し構成要素９によって返信される。この情報は、モジュレータ１１に供給され、モジュレータ１１は、更に、返信伝送信号に相当する調節した情報を連結１２を経由して発信機１３に送る。前記返信伝送信号は、次に、独立通信路１４によって試験装置２へと返信される。エラー発生率の計算は、図１に関して説明したような計算に該当する。
【００３４】
図１及び図２においては、エラー発生率の又はより一般的には受信機性能の解析が、非常に一般的に例示されている。本発明によれば、折返し構成要素９は、このようなモバイル通信ユニット３を反映するＯＳＩ参照モデルの異なる階層のいずれかに配置され得る。
【００３５】
図３に、本発明の方法を例示するフローチャートを示す。最初に工程２０において、試験装置２から供試のモバイル通信ユニット３に送信される情報が該試験装置２の発生ユニット４０によって発生させられる。この発生させられた情報を基礎にして、工程２１において、伝送信号が発生させられる。この発生させられた伝送信号は、次に一方向通信路６を経由して送信され、そして前記モバイル通信ユニット３の受信機８によって受信される。
【００３６】
更に、前記試験装置２のシステムシミュレータ４又は４′の発生ユニット４０によって最初に発生させられた情報を得るために、この受信伝送信号が解析される。
【００３７】
受信し解析した伝送信号から得られる情報を基礎にして、工程２３において、返信伝送信号が発生させられる。前記返信伝送信号を前記モバイル通信ユニット３によって試験装置２へ返信できるようにするために、返信伝送のために独立通信路１４が利用可能であるかどうかが確定される（工程２４）。既に独立通信路１４が確立されている場合は、この要求に対する回答は「はい」で、既存の独立通信路１４が選択される。前記返信伝送信号の返信伝送のために２つ以上の独立通信路が利用可能である場合は、その中から適当なものが選択される。
【００３８】
この要求に対する回答が「いいえ」の場合、新たな独立通信路１４が、前記モバイル通信ユニット３と前記試験装置２の間に確立される。
【００３９】
既存の独立通信路１４が選択されるか、新たな独立通信路が確立されるかすると、前記返信伝送信号が返信される（工程２７）。
【００４０】
この返信された返信伝送信号は、次に、前記試験装置２の受信機５によって受信され、そして該返信伝送信号中に含まれる情報を得るために解析される。工程２８において前記返信伝送信号が前記受信機５によって受信されそして解析された後、該返信伝送信号の解析の結果が前記システムシミュレータ４の発生ユニット４０中に最初に発生させられた情報と比較される（工程２９）。最後に（工程３０）、エラー発生率が、前記返信伝送信号から得られる情報と前記システムシミュレータ４、４′の信号発生機中に最初に発生させられた情報との比較から得られるエラーカウント数から計算される。
【００４１】
前記受信機性能試験は、工程２０から工程３０に関して今説明したような方法に限っても、更に前記モバイル通信ユニット３の反応の解析を含んでも良い。このために、例えば前記伝送信号中の「出力アップ」又は「出力ダウン」情報を受信した後に設定されるパラメーターが、工程３１において設定される。この新たに設定されるパラメーターを基礎にして、前記モバイル通信ユニット３から前記試験装置２へと次に送信され前記最初に発生させられる情報とは全然関係が無くても良いあらゆる情報を、説明される例では、該モバイル通信ユニット３から該試験装置２へ送信される信号の出力レベルを測定することによって解析できる。このように、工程３１において新たに設定されるパラメーターは、前記モバイル通信ユニット３の出力制御ユニットへ適用される（工程３２）。
【００４２】
前記モバイル通信ユニット３から前記試験装置２へと送信される信号の特性が測定される（工程３３）。与えられる例では、前記試験装置２において最初に発生させられる情報が、前記モバイル通信ユニット３から前記試験装置２へと返信されるあらゆる信号の送信出力の適応をもたらす。前記試験装置２によって前記モバイル通信ユニット３の出力が測定される場合、測定の結果は、次に、前記最初に発生させられた情報及び前に測定した出力レベルを基礎に構築される期待値と比較される。前記期待値と前記測定特性値の比較の結果に基づいて、エラーのタイプが工程３５において解析できる。
【００４３】
受信機性能を解析するための方法及びシステム並びにモバイル通信ユニットは、例示される好ましい実施形態に限定されず、これらの単一特性の組合せも含み得る。
【符号の説明】
【００４４】  １      システム  ２      試験装置  ３      モバイル通信ユニット ４，４′      システムシミュレータ  ５      受信機  ６      一方向通信路  ７      一方向通信路  ８      受信機  ９      折返し構成要素  １１    モジュレータ  １２    連絡線  １３    送信機  １４    独立通信路 １５，１５′    アプリケーションユニット  １６    ビット比較ユニット
【図１】
0005456468.tif 000002
【図２】
0005456468.tif 000003
【図３】
0005456468.tif 000004